(57)【要約】【課題】重りの取り付け部に付加重りを簡単に取り付けることが可能な疑似餌（餌木）を提供する。【解決手段】本発明の疑似餌は、本体１に挿通孔１２を有する重り装着部１０を突設しており、挿通孔１２を介して互いに螺合されて重り装着部１０の両側に取り付けられる一対の重り部２０，２１を有している。そして、一対の重り部２０，２１の少なくともいずれか一方は、重り装着部１０の外周部１０ａより外方に突出している。【選択図】図１
2010099033.tif 000002
【特許請求の範囲】
【請求項１】
本体に挿通孔を有する重り装着部を突設した疑似餌において、
前記挿通孔を介して互いに螺合されて前記重り装着部の両側に取り付けられる一対の重り部を有しており、
前記一対の重り部の少なくともいずれか一方は、前記重り装着部の外周部より外方に突出していることを特徴とする疑似餌。
【請求項２】
前記重り部には、螺合するときの回動中心軸方向に突出する突起が形成されていることを特徴とする請求項１に記載の疑似餌。
【請求項３】
前記重り装着部は、挿通孔の周辺に収納凹部を有しており、
前記収納凹部は、その一部が前記重り装着部の外周部に通じていることを特徴とする請求項１又は２に記載の疑似餌。
【請求項４】
前記重り装着部の挿通孔は、前記重り装着部の外周部に通じる開口溝を有していることを特徴とする請求項１から３のいずれか１項に記載の疑似餌。
【請求項５】
前記一対の重り部は、螺子桿を介して一体化されており、前記開口溝を介して前記挿通孔に案内可能であることを特徴とする請求項４に記載の疑似餌。
【発明の詳細な説明】
【技術分野】
【０００１】
本発明は、主としてイカ釣りに際して用いられる疑似餌に関する。
【背景技術】
【０００２】
従来、「餌木」と称される疑似餌を用いたイカ釣りが知られている。通常、餌木は、海老や魚等に似せた胴部（本体）と、胴部の前方側の下部に突出するように取り付けられた重りと、胴部前端に設けられた釣糸止着部と、胴部の後端に設けられ、先端を前方に向けた釣り針とを有している。このように構成される餌木は、釣糸止着部に釣糸を取り付けて、ルアーキャスティングと同様、ポイントに投げ込んでリールで釣糸を巻く際に、釣竿を煽ることでアクションを与えると、イカは、餌木の動きに誘われて餌木に抱きつく。そして、餌木に抱きついたイカは、胴部後端に設けられた釣り針に掛かって釣り上げることが可能となる。
【０００３】
上記したアクションにおいて、餌木は、釣竿を煽ることで水面に向けて上昇し、釣竿の煽りを止めることで胴部の前方側の下部に設けられた重りによって前方を下向きにして沈んで行き、このような水中の上下運動でイカを誘うようにしている。この場合、餌木に取り付けられた重りによって沈み具合が異なることから、胴部の前方側の下部に設けられた重りは、更に重りを付加できるように、例えば、特許文献１のような重り取り付け部を兼ね備えたものが知られている。
【０００４】
この公知技術は、胴部の前方側の下部に板状重りを突出させ、付加重り取り付け用に、左右方向に取り付け孔を設けている。そして、取り付け孔には、各種形態の重りが取り付けられるようになっているが、その図１０には、取り付け孔を介して板状重りの両側からネジ止めによって付加重りを取り付ける構成が開示されている。
【特許文献１】特開２００２−２２３６６９号
【発明の開示】
【発明が解決しようとする課題】
【０００５】
上記のように、板状重りの取り付け孔に付加重りをネジ止めすることにより、餌木に大きなアクションを与えても外れることがなくなり好ましいが、取り付け孔に一対の付加重りのネジ桿を差し込んで餌木を保持しながら指先で付加重りを取り付ける操作は難しい。すなわち、指先で付加重りの頭部をつまみながら回動してネジを螺合する作業は、取り付け操作が難しく、ネジを落とし易いという問題がある。特に、夜釣りでは、付加重りを紛失してしまう可能性が大きい。
【０００６】
本発明は、上記した問題に着目してなされたものであり、重りの取り付け部に付加重りを簡単に取り付けることが可能な疑似餌（餌木）を提供することを目的とする。
【課題を解決するための手段】
【０００７】
上記した目的を達成するために、本発明に係る疑似餌は、本体に挿通孔を有する重り装着部を突設した構成において、前記挿通孔を介して互いに螺合されて前記重り装着部の両側に取り付けられる一対の重り部を有しており、前記一対の重り部の少なくともいずれか一方は、前記重り装着部の外周部より外方に突出していることを特徴とする。
【０００８】
上記した構成によれば、一対の重り部を、挿通孔に仮り付けした状態で疑似餌の本体と共に、一対の重り部を両側から挟むように摘んで保持し、他方の手の指の腹部を、重り装着部の外周部から外方に突出した（はみ出した）部分の側部に押し当てて回動操作することで、一対の重り部を、挿通孔を介して螺合し取り付けることが可能となる。この際、一対の重り部を摘んだ状態で螺合操作するため、重り部を落下することが防止される。
【発明の効果】
【０００９】
本発明によれば、重りの取り付け部に付加重りを簡単に取り付けることが可能な疑似餌が得られる。
【発明を実施するための最良の形態】
【００１０】
以下、図面を参照して、本発明に係る疑似餌の実施形態について具体的に説明する。  
図１から図６は、本発明に係る疑似餌の第１の実施形態を示す図であり、図１は重り部を装着した疑似餌の正面図、図２は重り部を外した疑似餌の正面図、図３は重り部を装着する状態を説明する疑似餌の正面図、図４は重り部を装着する前の疑似餌の断面図、図５は重り部を装着した状態の疑似餌の断面図、そして、図６は重り部の取り付け状態を説明する疑似餌の断面図である。
【００１１】
本発明における疑似餌は、疑似餌本体１（以下、本体とする）と、この本体１から突出する重り装着部１０とを有している。
【００１２】
前記本体１は、合成樹脂や木材で形成され、前後方向に長く、海老や魚等の生き物に似せて形成されている。
【００１３】
本体１は、その前端に設けられ金属で形成したリングからなる釣糸止着部２と、その後端に設けられ先端が前方を向いた複数の釣り針３とを有している。また、本体１には、必要に応じて目４やひれ部材５等が設けられている。
【００１４】
本体１の前方側の下部には、板状に形成された重り装着部１０が、その一部を本体１に差し込まれて取り付けられており、本体１の左右に板状体の両面が向いて水を切るようにキール状に突設されている。
【００１５】
前記板状に形成された重り装着部１０には、左右方向（厚み方向）に貫通する挿通孔１２が穿設されており、この挿通孔１２に後述する一対の重り部２０，２１が取り付けられるようになっている。この重り装着部１０は、鉄、ステンレス、鉛、真鍮、タングステンなどの金属や金属粉末等を混入した高比重の合成樹脂等の、本体１よりも比重の大きな材料で形成されており、重り装着部自体が重りとなって本体１に固定されているため、より大きな重量を効率良く付加できる。  
なお、重り装着部１０は、本体１と一体に形成しても良く、また、比重は本体１より大きくなくても良い。
【００１６】
本実施形態では、上記のように構成される重り装着部１０の挿通孔１２の周辺の両面側に、他の部分より厚みが薄い薄肉厚部１３が形成されており、その薄肉厚部１３は、略円形状に形成されて重り装着部１０の外周部（縁部）１０ａに通じている。この薄肉厚部１３は、付加する重り部２０，２１が納まる収納凹部Ｓとなり、ここに重り部を取り付けることで、重り部の突出（挿通孔の軸方向に向けての突出）を小さくすることが可能となる。
【００１７】
また、薄肉厚部１３（収納凹部Ｓ）の外周部１０ａに通じた開口Ｋは、重り装着部１０の下部に形成され、付加する重り２０，２１の装着がし易くなっている。
【００１８】
なお、薄肉厚部（収納凹部）１３は、いずれか一方の面側のみに設けられる構成であっても良い。また、薄肉厚部（収納凹部）１３は、その周辺に対して段差を形成して形成するだけでなく、周辺を同じ厚みでも土手状に連続した凸部で周囲を囲んで形成し、その中に付加する重り部２０，２１が納まるようにしても良い。
【００１９】
重り装着部１０の挿通孔１２に取り付けられる一対の重り部２０，２１は、重り装着部と同様に本体１より比重の大きい鉄、ステンレス、鉛、真鍮、タングステンなどの金属やその合金、或いは金属粉末を混入した高比重の材料で、前記収納凹部Ｓに納まるように、夫々、厚みが薄い板状の円形（円盤状）に形成されている。そして、一方の重り部（重り部２０）の中央部には、前記挿通孔１２に挿通可能な径を有する螺子桿（雄螺子部）２０ａが一体的に突設され、他方の重り部２１には、前記螺子桿２０ａが螺合する取り付け穴（雌螺子部）２１ａが形成されている。
【００２０】
前記一対の重り部２０，２１は、螺子桿２０ａのそれぞれ一端側と他端側に配される重りで、螺子桿２０ａを挿通孔１２に挿通して重り装着部１０に取り付けた時にそれぞれ重り装着部１０を挟持するようにその左右に取り付く。
【００２１】
上記した一対の重り部２０，２１の少なくともいずれか一方（本実施形態では、両方としてある）は、その大きさが、収納凹部Ｓから一部が外方に突出する程度、すなわち、両重り部を螺合させた際、重り装着部１０の外周部１０ａから一部が外方に突出するように形成されている（図において、この突出した部分を符号２５で示してある）。
【００２２】
また、上記した一対の重り部２０，２１の少なくともいずれか一方（本実施形態では、両方としてある）には、両者を螺合するときの回動中心軸方向に、回動中心軸に対応する外側面側から突出する突起２０ｂ，２１ｂを形成しておく。さらに、重り部２０，２１の周囲（外周面部）には、ローレット等による滑り止め用の凹凸２０ｃ，２１ｃを形成しておく。  
前記突起２０ｂ，２１ｂは、先細り状の半球型や三角錐型に形成される。
【００２３】
以上のように構成される一対の重り部２０，２１を、重り装着部１０の挿通孔１２に取り付ける方法について説明する。
【００２４】
本体１に重り部を装着するときは、一方の重り部２０の螺子桿２０ａを重り装着部１０の挿通孔１２に挿通し、重り装着部１０の反対側において、他方の重り部２１を挿通孔１２に位置付けして、螺子桿２０ａを取り付け穴２１ａに位置合わせする。このとき、螺子桿２０ａの先端を取り付け穴２１ａにあてがって仮り付け状態にしておく。そして、図３及び図６に示すように、一対の重り部２０，２１を、一方の手で、疑似餌の本体１と共に両側から挟むように摘む。このとき、重り装着部１０の外周部１０ａから重り部の一部がはみ出している（突出している）ため、このはみ出した部分の側面に他方の手の指の腹部を押し当てて、どちらか一方の重り部を図３の矢印で示すように回動操作する（図６も参照）。これにより、一対の重り部２０，２１を、容易かつ落下させることなく螺合操作することができ、最終的に一対の重り部２０，２１は、重り装着部１０の収納凹部Ｓにその一部が収納されて、重り装着部１０を挟持した状態で固定される（図１及び図５参照）。
【００２５】
上記したように、重り部２０，２１は、それぞれが重り装着部１０より厚みが薄く、板状の円形に形成されており、これを収納凹部Ｓに収納するため、図５に示すように、重り部を装着した状態（薄肉厚部１３を挟着した状態）で、重り部２０，２１と重り装着部１０の厚さは、あまり大きくならず、この結果、疑似餌を動かしたときに、水切れが良く、素早く動かすことが可能となる。また、重り部２０，２１は、一部が重り装着部１０の外周部１０ａに通じている収納凹部Ｓに入り込むため、固定位置もずれ難くなる。
【００２６】
なお、一対の重り部２０，２１を回動操作する際、上記したように、外周面に凹凸２０ｃ，２１ｃが形成されているため、滑ることが防止され回動操作が行い易くなる。また、この回動操作に際しては、図６に示すように、一対の重り部２０，２１に突出形成された突起２０ｂ，２１ｂの部分に摘む指の腹部を押し付けることで、腹部が食い込み、確実に重り部２０，２１を保持することができ、重り部を落下することが防止される。
【００２７】
この場合、突起２０ｂ，２１ｂは、螺子桿２０ａ及び取り付け穴２１ａの回動中心軸方向に突出されているため、回動操作時に挟持した指の腹部が、螺子桿２０ａを中心に回動する重り部２０，２１の表面に接触することが抑制されて、回動操作をスムーズに行なうことが可能となる。
【００２８】
図７は、上記した実施形態の変形例を示す図であり、重り部を装着した状態の疑似餌の断面図である。
【００２９】
上記した実施形態では、重り部２０に設けられる螺子桿２０ａは、重り部と共に一体的に形成されていたが、図７に示すように、螺子桿をビス３０によって構成しても良い。ビス３０は、重り部２０の中央部に形成された固定孔２０ｄに外側から螺合されており、好ましくは、接着等によって固定孔２０ｄに確実に固定される。或いは、ビス３０の頭部３０ａをカシメて、重り部２０に圧着するようにしても良い。
【００３０】
このような構成によれば、ビス３０の頭部３０ａを、そのまま突起とすることが可能となる。
【００３１】
図８及び図９は、本発明の第２の実施形態を示す図であり、図８は重り部を外した疑似餌の正面図、そして、図９は重り部を装着した状態の疑似餌の断面図である。
【００３２】
本実施形態では、重り装着部１０の挿通孔１２は、重り装着部１０の外周部１０ａの前方側に通じる開口溝１２Ａを有している。
【００３３】
また、本実施形態では、一対の重り部２０，２１は、分離しない構造となっている。具体的には、一方の重り部２１に取り付け孔２１ｅを形成しておき、この部分に螺子桿２０ａを螺合すると共に、螺子桿２０ａの先端部に、上記した突起としての機能を兼ね備えた抜け止め２０ｅが形成されており、一対の重り部２０，２１は、螺子桿２０ａを介して連結され一体化されている。この場合、抜け止め２０ｅは、別体となる部材を溶着などによって止着しても良いし、螺子桿２０ａの先端を加工して形成しても良い。
【００３４】
一対の重り部２０，２１の形状が異なり、重さが異なる場合は、抜け止め２０ｅの重さを調節して一方の重り２１側と他方の重り２０側を同じ重さにしてバランスを取ることができる。
【００３５】
このような構成によれば、一対の重り部２０，２１を、本体の前方から後方に向けて開口溝１２Ａを介して案内操作し、挿通孔１２の位置まで移動させた状態で固定することが可能となる。すなわち、螺子桿２０ａを開口溝１２Ａから挿入して挿通孔１２の部分で、重り部２０，２１を上記した実施形態のように回動操作するだけで良く、重り部２０，２１を、より簡単に重り装着部１０に取り付けることが可能となる。特に、取り付け操作時においては、一対の重り部２０，２１が分離することはなく、螺子桿２０ａを重り装着部１０の外周部１０ａにあてがいながら開口溝１２Ａに案内できるため、夜釣り等、暗い状態でも重り装着操作が簡単となり、重り部がばらけて落下することも防止される。
【００３６】
もちろん、このような構成において、重り部２０，２１は、上記した第１の実施形態や変形例のように分離可能に構成されたものであっても良いし、抜け止め２０ｅを設けない構成であっても良い。この場合、重り部２１から突出する螺子桿２０ａの先端部分が突起としての機能を果たすようになる。
【００３７】
また、上記した開口溝１２Ａの延出方向（開口方向）については、後方にしたり、下方にする等、適宜変形することが可能である。
【００３８】
以上、本発明の実施形態について説明したが、本発明は、上記した実施形態に限定されることはなく、種々変形することが可能である。例えば、収納凹部１３の形状や重り装着部１０の形状については、適宜変形することが可能である。また、重り部についても、回動操作が可能であれば、多角形状に形成されていても良いし、いずれか一方が重り装着部１０の外周部１０ａから外方に突出していれば良い。
【図面の簡単な説明】
【００３９】
【図１】本発明に係る疑似餌の第１の実施形態を示す図であり、重り部を装着した疑似餌の正面図。
【図２】重り部を外した疑似餌の正面図。
【図３】重り部を装着する状態を説明する疑似餌の正面図。
【図４】重り部を装着する前の疑似餌の断面図。
【図５】重り部を装着した状態の疑似餌の断面図。
【図６】重り部の取り付け状態を説明する疑似餌の断面図。
【図７】第１の実施形態の変形例を示す断面図。
【図８】本発明の第２の実施形態を示す図であり、重り部を外した疑似餌の正面図。
【図９】重り部を装着した状態の疑似餌の断面図。
【符号の説明】
【００４０】
１  疑似餌本体（本体）
１０  重り装着部
１０ａ  外周部
１２  挿通孔
１２Ａ  開口溝
１３  薄肉厚部
２０，２１  重り部
２０ａ  螺子桿
２１ａ  取り付け孔
Ｓ  収納凹部
【図１】
2010099033.tif 000003
【図２】
2010099033.tif 000004
【図３】
2010099033.tif 000005
【図４】
2010099033.tif 000006
【図５】
2010099033.tif 000007
【図６】
2010099033.tif 000008
【図７】
2010099033.tif 000009
【図８】
2010099033.tif 000010
【図９】
2010099033.tif 000011